(57)【要約】複数の検出手段における再現性の高い生体情報を効率的に蓄積可能で、関連情報を多要因解析ができる生体情報検査システムにおいて、システムの簡略化・コンパクト化を実現する。本発明の生体情報検査システム１０は、遺伝子等の試料が保持されるセンサチップ２０と、センサチップ２０が配置されるセンサチップ保持部１１と、センサチップ２０の検出部２１とマーカー部２３の画像データを取得するデータ読取部１３とを有する。更に、検出部２１の画像データから生体情報データを取得する複数のプログラムを実行するデータ演算ユニット１６を有する。読み取られたマーカー部２３の画像データから、センサチップ２０がどの検査手段に対応するかを判別する。そして、検出部２１に対応する検査手段に応じたプログラムをデータ演算ユニット１６が実行し、検出部２１の画像データから検出部２１に保持されるサンプル特有の生体情報を検出する。これにより、マーカー部２３の情報と、検出部２１の情報を同一の機構（データ読取部１３）により取得できる。【特許請求の範囲】
【請求項１】
生体情報を検出するための複数の検査手段と、これら複数の検査手段にそれぞれ対応する複数種類のセンサチップと、該センサチップを保持するセンサチップ保持部と、該センサチップ保持部にセンサチップを配置したときに、配置されたセンサチップがどの検査手段に対応するものかを判別するセンサチップ判別部と、該センサチップ判別部の判別結果に対応する検査手段を作動させる制御手段と、前記検査手段の検査結果を記憶する記憶手段と、複数の前記検査手段による複数の検査結果から生体の特徴を多要因解析する解析手段とを有することを特徴とする生体情報検査システム。
【請求項２】
前記センサチップは、前記センサチップ保持部に対応する形態のカートリッジを有し、それぞれの検査手段に対応する形態の検出部が前記カートリッジに取り付けられているものであることを特徴とする請求項１に記載の生体情報検査システム。
【請求項３】
前記センサチップは、対応する前記検査手段毎に異なる形態のマーカー部が形成されているものであり、前記センサチップ判別部は前記マーカー部の違いを読み取るものであることを特徴とする請求項１に記載の生体情報検査システム。
【請求項４】
前記センサチップの各センサチップは、前記センサチップ保持部に保持されるように複数種類の前記センサチップで共通する形状を有するカートリッジ部と、複数の前記検査手段のうちいずれかの検査手段に対応する検出部と、当該検出部が複数の前記検査手段のうちいずれに対応するものであるかを示すマーカー部とを有するものであって、
前記検出部と前記マーカー部の２次元情報を取得するデータ読取部を更に有し、前記マーカー部の２次元情報から前記検出部がどの検査手段に対応するものであるかを判別するとともに、前記検出部に対応する検査手段により、前記検出部の２次元情報から生体情報を検出するようにしたことを特徴とする請求項１に記載の生体情報検査システム。
【請求項５】
前記データ読取部は、前記検出部及び前記マーカー部の画像データを取得するものであることを特徴とする請求項４に記載の生体情報検査システム。
【請求項６】
前記センサチップは、前記検出部と前記マーカー部とが一方向に並設して配置されるものであり、前記データ読取部はラインセンサを有するものであって、該ラインセンサは、前記センサチップの前記マーカー部と前記検出部とが並設する方向に走査されることにより、前記マーカー部及び前記検出部の画像を取得するものであることを特徴とする請求項４に記載の生体情報検査システム。
【請求項７】
前記マーカー部はバーコードあるいは前記センサチップに形成される凹凸形状であることを特徴とする請求項４〜６のいずれかに記載の生体情報検査システム。
【請求項８】
それぞれ異なる種類の生体情報を検出するための複数の検査手段と、これら複数の検査手段に対応する複数種類のセンサチップと、これら複数種類のセンサチップを保持可能なセンサチップ保持部とを有し、
各センサチップは、前記センサチップ保持部に保持されるように複数種類の前記センサチップで共通する形状を有するカートリッジ部材と、複数の前記検査手段のうちいずれかの検査手段に対応する検出部と、当該検出部が複数の前記検査手段のうちいずれに対応するものであるかを示すマーカー部とを有するものであって、
前記検出部と前記マーカー部の２次元情報を取得するデータ読取部を更に有し、前記マーカー部の２次元情報から前記検出部がどの検査手段に対応するものであるかを判別するとともに、前記検出部に対応する検査手段により、前記検出部の２次元情報から生体情報を検出するようにしたことを特徴とする生体情報検査システム。
【請求項９】
前記データ読取部は、前記検出部及び前記マーカー部の画像データを取得するものであることを特徴とする請求項８に記載の生体情報検査システム。
【請求項１０】
前記センサチップは、前記検出部と前記マーカー部とが一方向に並設して配置されるものであり、前記データ読取部はラインセンサを有するものであって、該ラインセンサは、前記センサチップの前記マーカー部と前記検出部とが並設する方向に走査されることにより、前記マーカー部及び前記検出部の画像を取得するものであることを特徴とする請求項８に記載の生体情報検査システム。
【請求項１１】
前記マーカー部はバーコードあるいは前記センサチップに形成される凹凸形状であることを特徴とする請求項８〜１０のいずれかに記載の生体情報検査システム。
【発明の詳細な説明】
【技術分野】  本発明は、遺伝子等の生体情報を検査するとともに、得られる生体情報を分析する生体情報検査システムに関する。
【背景技術】  遺伝子等の生体情報を分析し、得られる結果を病気の予防や治療に利用することが行われている。これら遺伝子等の生体情報を検査・分析する機器として、例えば非特許文献（原一雄  他、「２型糖尿病のゲノム解析と疾患感受性遺伝子」、実験医学、羊土社、２００３年１月号、ｐ．５−１０）に記載されているような分析機器・センサが知られている。しかし、これら従来の分析機器やセンサは単一のターゲットに対する検出を行い、単一の判断を出力するものが殆どである。しかしながら、昨今では複数種類の検出技術によって得られる複数の生体情報を解析して新しい知見を得ることも多くなってきている。そのため、高度な解析及び評価結果を提供するために、複数の検出技術における再現性の高いデータを蓄積することや、その蓄積された関連データを相互に関連付けて解析することが求められている。
【発明の開示】
【発明が解決しようとする課題】  しかしながら、従来の分析機器やセンサでは、個々の検査技術における結果から解析を行うのみであり、複数の検査技術から得られる複数の検査結果（生体情報）を網羅的に解析することはできなかった。
また、複数の検出技術を行うにしても、従来は別々の装置により別々の条件で検査が行われることが多いため、関連するデータがあっても条件の違いにより精度のよい解析が行われなったり、得られるデータを条件があうように補正したりする必要があった。そのため、再現性の高いデータを効率的に蓄積することは困難であった。
本発明は、以上のような実情を鑑みて為されたものであって、複数の検査手段（検査技術）における再現性の高いデータ（生体情報）を効率的に蓄積することができる生体情報検査システムを提供すること並びにその蓄積された関連データを解析することで、高度な解析及び評価結果を提供することができる生体情報検査システムを提供することを課題とする。更に、本発明のもう一つの課題は、上記のような生体情報検査システムにおいて、より簡略化・コンパクト化された生体情報検査システムを提供することを課題とする。
【課題を解決するための手段】（第１手段）
上記課題を解決する本発明の生体情報検査システムは、生体情報を検出するための複数の検査手段と、これら複数の検査手段にそれぞれ対応する複数種類のセンサチップと、該センサチップを保持するセンサチップ保持部と、該センサチップ保持部にセンサチップを配置したときに、配置されたセンサチップがどの検査手段に対応するものかを判別するセンサチップ判別部と、該センサチップ判別部の判別結果に対応する検査手段を作動させる制御手段と、前記検査手段の検査結果を記憶する記憶手段と、複数の前記検査手段による複数の検査結果から生体の特徴を多要因解析する解析手段とを有することを特徴とする。
そして、前記センサチップは、前記センサチップ保持部に対応する形態のカートリッジを有し、それぞれの検査手段に対応する形態の検出部が前記カートリッジに取り付けられているものとすることができる。
また、前記センサチップは、対応する前記検査手段毎に異なる形態のマーカー部が形成されているものであり、前記センサチップ判別部は前記マーカー部の違いを読み取るものを採用できる。
更に、センサチップの各センサチップは、前記センサチップ保持部に保持されるように複数種類の前記センサチップで共通する形状を有するカートリッジ部と、複数の前記検査手段のうちいずれかの検査手段に対応する検出部と、当該検出部が複数の前記検査手段のうちいずれに対応するものであるかを示すマーカー部とを有するものであって、前記検出部と前記マーカー部の２次元情報を取得するデータ読取部を更に有し、前記マーカー部の２次元情報から前記検出部がどの検査手段に対応するものであるかを判別するとともに、前記検出部に対応する検査手段により、前記検出部の２次元情報から生体情報を検出するようにすることができる。
そして、前記データ読取部は、前記検出部及び前記マーカー部の画像データを取得するものが採用できる。
また、前記センサチップは、前記検出部と前記マーカー部とが一方向に並設して配置されるものであり、前記データ読取部はラインセンサを有するものであって、該ラインセンサは、前記センサチップの前記マーカー部と前記検出部とが並設する方向に走査されることにより、前記マーカー部及び前記検出部の画像を取得するものを採用することもできる。
更に、前記マーカー部はバーコードあるいは前記センサチップに形成される凹凸形状であるものを採用することもできる。
（第２手段）
更に上記課題を解決する本発明の生体情報検査システムは、それぞれ異なる種類の生体情報を検出するための複数の検査手段と、これら複数の検査手段に対応する複数種類のセンサチップと、これら複数種類のセンサチップを保持可能なセンサチップ保持部とを有し、
各センサチップは、前記センサチップ保持部に保持されるように複数種類の前記センサチップで共通する形状を有するカートリッジ部材と、複数の前記検査手段のうちいずれかの検査手段に対応する検出部と、当該検出部が複数の前記検査手段のうちいずれに対応するものであるかを示すマーカー部とを有するものであって、
前記検出部と前記マーカー部の２次元情報を取得するデータ読取部を更に有し、前記マーカー部の２次元情報から前記検出部がどの検査手段に対応するものであるかを判別するとともに、前記検出部に対応する検査手段により、前記検出部の２次元情報から生体情報を検出するようにしたことを特徴とする生体情報検査システム。
なお、本手段において検査手段とは、検出部の２次元情報から生体情報を検出する生体情報検出手段を有するものである。ここで、生体情報検出手段は、検出部の２次元情報がデータ化された２次元情報データを、特定のアルゴリズムにより演算し、ある生体情報を示す生体情報データに変換するものとすることができる。この特定のアルゴリズムは、該アルゴリズムに対応するプログラムを実行するデータ演算ユニットにより行われる。このとき、検出部の２次元情報データを生体情報データに変換するためのアルゴリズムは、検出部におけるサンプルの種類や求める生体情報に応じて異なるものを採用することができる。
ここで、本手段において「複数の検査手段」を有するとは、「複数の生体情報検出手段」がシステムに備えられていることを示すものであり、データ読取部が一つしか備えられていない場合であっても、生体情報検出手段が複数ある場合は、複数の検査手段を有するものとみなすこととする。更に、「生体情報検出手段」が行うデータ演算は、実際にはデータ演算ユニットが行うが、「生体情報検出手段が複数ある」とは、必ずしもデータ演算ユニットが複数あることを示すものではない。つまり、データ演算ユニットが実際には一つしかなくても、この一つのデータ演算ユニットにより、異なる生体情報を検出するための複数のプログラムが実行される場合には、「生体情報検出手段が複数ある」ものとみなすこととする。
そして、前記データ読取部は、前記検出部及び前記マーカー部の画像データを取得するものが採用できる。
また、前記センサチップは、前記検出部と前記マーカー部とが一方向に並設して配置されるものであり、前記データ読取部はラインセンサを有するものであって、該ラインセンサは、前記センサチップの前記マーカー部と前記検出部とが並設する方向に走査されることにより、前記マーカー部及び前記検出部の画像を取得するものを採用することもできる。
更に、前記マーカー部はバーコードあるいは前記センサチップに形成される凹凸形状であるものを採用することもできる。
【発明の効果】（１）上記第１手段においては、複数の検査手段を有し、これら複数の検査手段に対応する複数種類のセンサチップを配置可能なセンサチップ保持部を有するので、複数の検査を一つのシステムで行うことができる。また、同一のセンサチップ保持部にセンサチップを配置して複数の検査を行えるので、検査結果の複数の検査間でのバラツキを軽減することができる。
更に、これら複数の検査による検査結果は検査の後すぐに記憶手段に記憶され、かつ、すでに記憶されている関連のある情報をもとに解析手段により解析される。そのため、複数の検査手段（検査技術）における再現性の高いデータを蓄積することやその蓄積された関連データを解析することで、高度な解析及び評価結果を提供することができる。
また、センサチップは、センサチップ保持部に対応する形状のカートリッジを有するので、一つのセンサチップ保持部に複数種類のセンサチップを配置することができ、かつ、それぞれの検査手段に対応する形態の検出部がカートリッジに取り付けられているので、センサチップ保持部が一つであっても複数の検査を行うことができる。
また、センサチップには対応する検査手段毎に異なる形態のマーカー部が形成されているので、複数の検査手段にそれぞれ対応する複数種類のセンサチップをセンサチップ保持部に配置しても、センサチップ判別部において、センサチップがどの検査手段に対応するものであるかが判別することができる。そのため、一つの検査システムで複数種類の検査技術を行うようにしても、センサチップ保持部に配置されたセンサチップに対応する検査技術をいつでも行うことができる。
つまり、センサチップ判別部は、センサチップに形成されているマーカー部によりそのセンサチップがどの検査手段に対応したものであるかを判別するものであり、センサチップの一部のみにおいて、そのセンサチップがどの検査手段に対応するものであるかを識別できるようにしておけばよく、センサチップの判別がより容易となる。
また、マーカー部が、対応する検査手段の情報を示すものだけではなく、サンプル数等の情報も識別できるものとしておけば、同一検出技術の中でも単検体・複数検体の判別も行うことができる。
なお、マーカー部としては、単にセンサチップに種類毎に異なる凹凸形状を設けたり、対応する検査手段等の情報が記憶されたＩＣ等を設けたりすることができる。
（２）上記第２手段においては、複数の検査手段を有し、これら複数の検査手段に対応する複数種類のセンサチップを保持可能なセンサチップ保持部を有するので、複数の検査を一つのシステムで行うことができる。また、各センサチップはセンサチップ保持部に保持されるように、複数種類のセンサチップ間で共通する形状を有するカートリッジ部を有するので、同一のセンサチップ保持部に複数種類のセンサチップを配置して複数の検査を行えるので、複数の検査技術を略同一の条件で行うことができる。そのため、より再現性の高いデータを効率的に蓄積することができる。また、検査によって得られる複数種類のデータにより、更に精度のよい解析を行うことができる。
ここで、本発明の生体情報検査システムにおいては、検査手段は検出部の２次元情報から生体情報を検出するものであり、データ読取部は検出部の２次元情報を取得する際にマーカー部の２次元情報をも取得するものであるので、得られるマーカー部の２次元情報から、センサチップの検出部がどの検査手段に対応するものであるかを判別することができる。そのため、センサチップ保持部に保持されたセンサチップがどの検査手段に対応するものであるかを判別する機構（マーカー判別部）を別途設ける必要がなく、システムの簡略化・コンパクト化に寄与する。また、同一機構により、検出部とマーカー部との２次元情報を取得することができ、効率的に再現性の高いデータを蓄積することができる。
更に、センサチップの検出部とマーカー部との画像情報をこれらの２次元情報として取得するようにすれば、単に検出部とマーカー部とを撮影手段により撮影することで容易に検出部とマーカー部との２次元情報を取得することができる。
ここで、センサチップとして検出部とマーカー部とが、該センサチップの一表面に並設されているものとし、データ読取部としてラインセンサを採用することにより、センサチップの一端から他端にラインセンサを一次元に走査させることで、容易に検出部とマーカー部との２次元情報（画像）を取得することができる。
更に、マーカー部として、バーコードや凹凸形状を採用することにより、マーカー部の判別がより容易となる。
なお、検出部あるいはマーカー部における電荷量、吸光度、発光量等の特定の物理量を、プローブ等をデータ読取部として検出部及びマーカー部に走査させることで検出し、検出部及びマーカー部における当該物理量の分布情報を、当該検出部及びマーカー部の２次元情報として取得することも可能である。
【図面の簡単な説明】図１は、本発明の生体情報検査システムの一例を示す概略図である。
図２は、本発明の生体情報検査システムの作動フローを示す図である。
図３は、センサチップの検出部とマーカー部の２次元情報を取得する方法を説明する図である。
図４は、本発明の生体情報検査システムの一例を示す概略図である。
図５は、本発明の生体情報検査システムの作動フローを示す図である。
図６は、センサチップのマーカー部の一例及びセンサチップ判別部の概要を説明する図である。
図７は、センサチップのマーカー部の図６とは異なる一例を示す図である。
【発明を実施するための最良の形態】  以下、本発明の生体情報検査システムの概略について、図面を参照しつつ説明する。
（第１形態）
図１は、本実施形態の生体情報検査システム１０を示す図である。生体情報検査システム１０は、遺伝子等の試料が保持されているセンサチップ２０と、該センサチップ２０が配置されるセンサチップ保持部１１と、該センサチップ２０の検出部２１とマーカー部２３の２次元情報を取得するデータ読取部１３と、を有する。ここで、データ読取部１３は、検出部２１とマーカー部２３の、２次元情報としての画像を撮影して、２次元情報データとしての画像データを取得するものである。なお、生体情報検査システム１０は、複数種類の検査が本システムでできるように複数の検査手段を有する。これら複数の検査手段は一つのセンサチップ保持部１１に配置される複数種類のセンサチップ２０に対しそれぞれ異なる検査を行うものである。つまり、センサチップ保持部１１にはそれぞれ異なる検査手段に対応する複数種類のセンサチップ２０のうち、操作者が行いたい検査手段に対応する一つのセンサチップ２０が配置されることになる。
具体的に、各センサチップ２０は、それぞれの検査手段に対応する形態の検出部２１と、検査手段にはよらず、複数種類のセンサチップ２０間で共通の形状を有するカートリッジ部２２から構成されている。つまり、検出部２１は対応する検出手段が異なれば異なる形態となるが、カートリッジ部２２は検査手段が異なるものでも同一の形状を有する。このような形態のセンサチップ２０によれば、センサチップ２０のカートリッジ部２２の形状に合わせてセンサチップ保持部１１の形状を設定しておけば、一つのセンサチップ保持部１１により異なる種類のセンサチップ２０（異なる種類の検出部２１を有するセンサチップ２０）を保持することができる。
また、センサチップ２０には、マーカー部２３が形成されている。このマーカー部２３は、当該センサチップ２０に設けられている検出部２１が複数の検査手段のうちどの検査手段に対応するものであるかを示すものである。本実施形態においては、マーカー部２３は図３に示すようなバーコード２３である。バーコード２３の形状の違いにより、検出部２１、ひいてはセンサチップ２０がどの検査手段に対応するものであるかを判別することができる。
一方、複数の検査手段は、一つのデータ読取部１３を共有しており、生体情報検査システム１０には一つのデータ読取部１３が設けられている。本実施形態において、データ読取部１３は、図３に示すようなラインセンサ１３である。図１及び図３を参照して、センサチップ２０の検出部２１とマーカー部２３の２次元情報（画像）の取得方法を説明する。図３に示すように、検出部２１とマーカー部２３であるバーコード２３は、センサチップ２０の一表面に並んで配置されている。センサチップ保持部１１にセンサチップ２０を保持した状態で、生体情報検査システム１０を作動させると、検出部２１とマーカー部２３とが並設する方向（図３の矢印方向）にラインセンサ１３が走査される。これにより、検出部２１とバーコード２３とを同一機構により撮影することができる。そして、得られるバーコード２３の画像から、センサチップ２０の検出部２１がどの検査手段に対応するものであるかを判別することができる。このように、検出部２１の撮影とマーカー部２３の撮影とを同一機構により行うようにしたので、センサチップ２０のマーカー部２３を判別するための機構を別途設ける必要がなく、システムの簡略化・コンパクト化に寄与する。
なお、データ読取部１３としては、センサチップ２０上を走査するラインセンサ１３だけでなく、単にセンサチップ２０の検出部２１とマーカー部２３とをＣＭＯＳカメラにより同時に撮影するものを採用することもできる。
更に、生体情報検査システム１０は、データ読取部１３で読み取られた２次元情報データとしての画像データを記憶するメモリ（記憶手段）１５と、データ読取部１３により読み取られた画像データ、あるいはメモリ１５に記憶されている画像データを、ある特定の生体情報を示す生体情報データに変換するデータ演算ユニット１６と、得られた生体情報を表示する表示部１４と、メモリ１５に記憶されているデータを他のコンピュータに移行するためのインターフェース部１７と、を有する（図１参照）。更に、メモリ１５には、検出部２１の画像データに基づき、特定の生体情報データを取得するための複数異種のアルゴリズムを実行する複数のプログラムが記憶されており、データ演算ユニット１６は、これら複数のプログラムを実行することができるものである。
データ読取部１３により取得された検出部２１の画像データは、マーカー部２３の判別結果（検出部２１がどの検査手段に対応するものであるかの情報）とともに、メモリ１５に記憶される。そして、検出部２１に対応する検査手段に基づき、検出部２１の画像データから生体情報を検出する。
以下、本実施形態の生体情報検査システム１０の使用例について説明する。例えば、本実施形態の生体情報検査システム１０は、糖尿病の検査及びその治療方法の解析に使用することができる。糖尿病のうち２型糖尿病は遺伝因子に加えて高脂肪食や運動不足などの環境因子が組み合わさって発症する多因子病である。そのため、血糖値等の検査のみではなく、遺伝因子にも着目して検査を行うことが糖尿病になる危険度を検査する上で重要である。したがって、糖尿病になる危険度を精度よく検査するためには、複数の検査手段が必要になる。また、糖尿病がすでに発病している場合でも、その原因となる因子を見極め、その原因にあった治療方法を策定することが重要である。
糖尿病の検査及び治療方法の解析に本発明の生体情報検査システム１０を使用する場合の使用例を図２を用いて説明する。まず、検査試料が検出部２１に配置されたセンサチップ２０を、生体情報検査システム１０のセンサチップ保持部１１に配置する（Ｓ１）。そして、生体情報検査システム１０を作動させると、データ読取部１３が作動して、センサチップ２０の検出部２１とマーカー部２３の画像を撮影する（Ｓ２）。
得られたマーカー部２３の画像から画像解析により、センサチップ保持部１１に配置されたセンサチップ２０の検出部２１が、どの検査手段に対応するものであるかを判別する（Ｓ３）。ここで、検査手段としては、血糖値検査や、特定遺伝子の有無や存在量を、該特定遺伝子に特異的に結合する蛍光の光量により検出する方法を例示することができる。特定遺伝子の有無やその存在量を検出する場合は、ＰＣＲ（ポリメラーゼ連鎖反応）法等により特定の遺伝子を増幅させた後、その特定の遺伝子の有無及び存在量を、蛍光量により検出する方法や、サンプル中の遺伝子の発現状況を、チップ上における蛍光の検出位置で検出するＤＮＡチップ法等を例示することができる。センサチップ２０の検出部２１は、これらいずれかの検査手段に対応する試料により、それぞれの検査手段に対応する形態を有するものとなっている。
Ｓ３において、配置されたセンサチップ２０がどの検査手段に対応するものであるかが判別されると、検出部２１の画像データを、当該検出部２１がどの検査手段に対応するものであるかの情報とともにメモリ１５に一旦記憶させる。そして、メモリ１５に記憶されている画像データに対して、対応する検査手段に基づき画像データの処理が行われる。ここでは、複数の検査手段として、血糖値検査（Ａ検査）、遺伝因子チェック検査（Ｂ検査）、環境因子チェック検査（Ｃ検査）を実施する場合について説明する。具体的に、Ｓ３の結果、配置されたセンサチップ２０がＡ検査に対応するものであると判別されると、Ｓ４においてＡ検査を実施するための、Ａ検査用プログラムがデータ演算ユニット１６により実行される。具体的に、Ａ検査に対応するセンサチップ２０の検出部２１には、サンプルとして血液が配置されており、該血液中にはグルコースに付着する蛍光物質が添加されている。そのため、血液中のグルコースの存在確率が血液中の蛍光を発する領域の面積によりわかるようになっている。したがって、Ｓ４の検査Ａにおいては、検出部２１の画像データから生体情報としてのグルコースの存在量を検出するプログラムがデータ演算ユニット１６により行われる。Ａ検査の結果は、その定量値や糖尿病の危険度等の情報として、試料番号（披検査者毎に付与される）や検査手段の情報とともに生体情報検査システム１０のメモリ１５に記憶され（Ｓ５）、データ表示部１４に表示される。
一方、Ｓ３の結果、配置されたセンサチップ２０がＢ検査に対応するものであると判別されると、データ読取部１３により取得された検出部２１の画像データはＢ検査に基づいて処理される（Ｓ６）。Ｂ検査に対応するセンサチップ２０の検出部２１には、サンプルとして染色体が保持されており、このサンプルには糖尿病誘発遺伝子と考えられる遺伝子（例えば：カルペイン３、ＰＩ−３、アディポネクチン等）に付着して蛍光を発する蛍光物質が添加されている。サンプルの画像情報から、Ｂ検査に基づく画像処理により蛍光を発する領域の面積等の情報を抽出することで、生体情報を取得することができる。このような状態の検出部２１の画像データから生体情報としての糖尿病誘発遺伝子の有無、あるいは糖尿病誘発遺伝子の存在量を検出するプログラムが、データ演算ユニット１６により実行され、生体情報が検出される。Ｂ検査の結果は、糖尿病誘発遺伝子の有無や、その存在量等の情報として、試料番号や検査手段の情報とともにメモリ１５に記憶され（Ｓ７）、データ表示部１４に表示される。更に、Ｂ検査の結果から、糖尿病となる原因のうち、遺伝的な要因が高いか低いかということを判定して、その結果をメモリ１５に記憶するとともに、データ表示部１４に表示することもできる。
また、Ｓ３の結果、配置されたセンサチップ２０がＣ検査に対応するものであると判別されると、データ読取部１３により取得された検出部２１の画像データはＣ検査に基づいて処理される（Ｓ８）。Ｃ検査に対応するセンサチップ２０の検出部２１には、サンプルとして染色体が保持されており、このサンプルには肥満遺伝子と考えられる遺伝子（例えば：レプチン、β３アドレナリン受容体、ＳＨＰ等）に付着して蛍光を発する蛍光物質が添加されている。このような状態の検出部２１の画像データから生体情報としての肥満遺伝子の有無や、肥満遺伝子の存在量等を検出するプログラムが、データ演算ユニット１６により実行され、生体情報が検出される。Ｃ検査の結果は、肥満遺伝子の有無や、その存在量等の情報として、試料番号や検査手段の情報とともにメモリ１５に記憶され（Ｓ９）、データ表示部１４に表示される。また、Ｃ検査の結果から、糖尿病となる原因のうち、環境的な要因が高いか低いかということを判定して、その結果を、メモリ１５に記憶するとともに、データ表示部１４に表示することもできる。
このように、いずれかの検査が行われると、Ｓ１０において、その他の検査手段による検査が行われているかどうかが判別される。このとき、複数の検査が行われていることが判別されると、Ｓ１１において複数の検査結果に基づいた多要因解析が行われる。これにより、それぞれのケースにおいて、より適した治療方法がわかるようになっている。
具体的には、Ａ検査、Ｂ検査、Ｃ検査がすべて完了している場合、Ａ検査により糖尿病である（あるいは糖尿病の可能性が高い）と検査され、また、Ｂ検査により遺伝因子での要因が大きいと判定され、かつ、Ｃ検査により環境因子での要因も大きいということが判定されている場合には、食事療法や運動療法等により環境因子での要因を軽減するとともに、遺伝子療法により遺伝因子での要因を軽減できる治療方法が提案される。この場合、遺伝子療法として提案される方法としては、Ｂ検査により抽出された遺伝子の種類により決定されるものである。また、検査の結果、糖尿病誘発遺伝子の発現量がわかれば、その発現量に基づいた治療が提案されることになる。例えば、検査の結果、アディポネクチン遺伝子というインスリン感受性物質が少ないということがわかれば、遺伝子療法としてアディポネクチンの補充療法をしながらインスリンを投与する方法を採用することができる。
一方、Ａ検査により糖尿病（あるいは糖尿病の可能性が高い）と診断された場合であって、Ｂ検査による遺伝因子での要因はあるが、Ｃ検査による環境因子での要因はない場合、遺伝因子の要因のみを軽減できるようなより効率的な治療方法（食事療法や運動療法よりも遺伝子療法に重きを置く治療方法）を提案することができる。逆に、Ａ検査により糖尿病（あるいは糖尿病の可能性が高い）と診断された場合であって、Ｂ検査による遺伝因子での要因はないが、Ｃ検査による環境因子での要因はある場合、環境的な要因のみを軽減できるような治療方法（例えば、食事療法や運動療法を主体にし、遺伝子療法をに重点を置かない治療方法）を提案することができる。
また、Ａ検査により糖尿病と診断されなかった場合でも、Ｂ検査及び（あるいは）Ｃ検査により遺伝因子及び（あるいは）環境因子の存在が認められる場合には、これらの検査結果に基づいた予防方法が提案される。
なお、多要因解析においては、同一試料番号における複数検査間の情報を元に解析を行う他に、例えば患者の親族等に対して同一の検査を行い、その結果を患者との関係とともにメモリ１５に記憶させておき、これらの情報の相関から羅患同胞対法に基づいた解析を行うことも可能である。
上記のような解析結果は、Ｓ１２において生体情報検査システム１０（図１）のデータ表示部１４に表示され操作者に治療方法の情報が提供されることになる。
このように、一つの病気に対して原因を特定してその治療案を選定するという一連の治療基準を提供するためには、同一検出器での再現性が要求される。ここで、本実施形態の生体情報検査システム１０においては、異なる検査手段に対応するセンサチップ２０であっても、一つのセンサチップ保持部１１により保持することができ、更に、一つのデータ読取部１３で、センサチップ２０の検出部２１に配置されている試料の情報（２次元情報）を取得することができることから、より安定して再現性のあるデータを得ることができる。
更に、センサチップ２０の検出部２１の情報と、マーカー部２３の情報とを、同一の機構（ラインセンサ１３）により、２次元情報として取得するようにしたので、センサチップ保持部１１に配置されるセンサチップ２０がどの検査手段に対応するものであるかを判別する機構を、別途システムに設けなくてもよいので、システムの簡略化・コンパクト化を実現することができる。
また、生体情報検査システム１０のメモリ１５（記憶手段）に記憶された情報は、インターフェース部１５を介して、例えばＰＣのハードディスクドライブや、外部記憶手段等のその他の記憶手段に記憶させることもできる。
（第２形態）
図４は、本実施形態の生体情報検査システム１００を示す図である。図４に示す生体情報検査システム１００は、図１に示す生体情報検査システム１０と基本的には同一の構成である。なお、図４では、図１で示した生体情報検査システムと同様の構成要素については同じ符号を付している。生体情報検査システム１００は、遺伝子等の試料が保持されているセンサチップ２００が配置されるセンサチップ保持部１１０と、該センサチップ２００から生体情報を読み取るデータ読取部１３０と、センサチップ保持部１１０に配置されたセンサチップの種類を判別するセンサチップ判別部１２０と、を有する。なお、生体情報検査システム１００は、複数種類の検査が本システムでできるように複数の検査手段を有する。これら複数の検査手段は一つのセンサチップ保持部１１０に配置される異なる複数のセンサチップ２００に対し異なる検査を行うものである。そのため、センサチップ保持部１１０にはそれぞれ異なる検査手段に対応する複数種類のセンサチップ２００が配置されることになる。
具体的に、センサチップ２００は、それぞれの検査手段に対応する形態の検出部２１０と、検査手段にはよらず形態が統一されているカートリッジ部２２０から構成されている。このような形状のセンサチップ２００によれば、センサチップ２００のカートリッジ部２２０の形状に合わせて生体情報検査システム１００のセンサチップ保持部１１０の形状を設定しておけば、一つのセンサチップ保持部１１０により異なる種類のセンサチップ２００を保持することができる。
また、センサチップ２００には、検出部２１０に対応する検査手段がどの種類の検査手段であるかを示すマーカー部２３０が形成されている。一方、生体情報検査システム１００にはセンサチップ判別部としてマーカー判別部１２０が形成されている。センサチップ２００のマーカー部２３０が生体情報検査システムのマーカー判別部１２０に配置されると、マーカー判別部１２０によりセンサチップ２００の種類が特定されるようになっている。
更に、本実施形態の生体情報検査システム１００は、マーカー判別部１２０の判別結果に対応する検査手段を作動させる図示しない制御手段を有する。制御手段は、図１に示す生体情報検査システム１０のメモリ１５及びデータ演算ユニット１６と同様のものを例示できる。マーカー判別部１２０によりセンサチップ２００の種類が特定されると、制御手段により生体情報検査システム１００に設置されている複数の検査手段のうち対応する検査手段を動作させるプログラムが起動する。
更に、生体情報検査システム１００は、データ読取部１３０で読み取られたデータを記憶する記憶手段と、記憶されたデータに基づいて生体情報を多要因解析する解析手段と、解析結果を表示する表示部１４と、記憶手段に記憶されているデータを他のコンピュータ等に移行するためのインターフェース部１５と、を有する。
検査手段が行う検査結果はデータ読取部１３０により読み取られて、記憶手段に記憶される。このとき、例えば一つの検体について複数の検査を行い、その結果を検体に付与されるサンプルナンバーと、検査手段の種類に対応付けする形で記憶手段に記憶するようにする。そして、一つの検査手段により検査が終了したり、あるいは、入力手段により、例えば検体のサンプルナンバー等がシステムに入力されると、解析手段により複数の検査手段による複数の検査結果が読み出されるとともに、これら複数の検査結果に基づき多要因解析が行われることになる。多要因解析の結果は表示部１４に表示される。
ここで、センサチップのマーカー部２３０、及び生態情報検査システム１００のマーカー判別部１１０としては、図６に示すようなものを採用することができる。図６は、センサチップ２００をセンサチップ保持部１１０に配置するときの状況を示すものであり、センサチップ２００を側面から図示したものである。また、ここでは、センサチップ２００を生態情報検査システム１００に開口部として形成されているセンサチップ保持部１１０に対して挿入して、センサチップ２００をセンサチップ保持部１１０に保持する形態を採用する場合の一例について示す。図６（ａ）に示すように、センサチップ２００のセンサチップ保持部１１０に挿入される一端側には、当該センサチップ２００に対応する検査手段に固有の形状で、切り欠き部２４が形成されている。一方、センサチップ保持部１１０側には、センサチップ２００の挿入される端面２０ａに接触するように複数の凹凸センサ１９が配置されている。一つ一つの凹凸センサ１９は、センサチップ２００がセンサチップ保持部１１０に挿入されない場合に位置する第一位置と、センサチップ２００がセンサチップ保持部１１０に挿入された場合に、センサチップ２００の端面２０ａに押されて移動する第二位置との間で移動できるようになっている。ここでは、各々の凹凸センサ１９が第一位置にあるとき当該凹凸センサ１９がオフ状態であるとし、各々の凹凸センサ１９が第二位置にあるとき当該凹凸センサ１９がオン状態であるとして、以下説明を続ける。
図６に示すように、切り欠き部２４が端面２０ａに形成されているセンサチップ２００をセンサチップ保持部１１０に挿入すると、端面２０ａに押される凹凸センサ１９は、第二位置に移動し、センサがオン状態となる。一方、切り欠き部２４の位置に対応する凹凸センサ１９は端面２０ａにより押されないので、第一位置に位置するままでありオフ状態である。ここで、対応する検査手段によって、センサチップ２００の端面２０ａに形成される切り欠き部２４の位置と形状を代えておくことで、センサチップ２００をセンサチップ保持部１１０に挿入したときに、対応する検査手段に応じて複数の凹凸センサのオン・オフ状態が変わるので、対応する検査手段の識別を行うことができる。
このような構成により、センサチップ２００をセンサチップ保持部１１０に挿入したときに、自動で目的とする検査手段を選択することができる。
また、センサチップ２００のマーカー部２３０としては、図７のような構成を採用することもできる。つまり、図７に示すように、センサチップ２００のマーカー部２３０として、ＩＣ２５を採用し、マーカー判別部１２０として、このＩＣの情報を読み取る読取部を有するものを採用することができる。
以下、本実施形態の生体情報検査システム１００の使用例について説明する。例えば、本実施形態の生体情報検査システム１００は、糖尿病の検査及びその治療方法の解析に使用することができる。
糖尿病の検査及び治療方法の解析に本発明の生体情報検査システム１００を使用する場合の使用例を図５を用いて説明する。まず、Ｓ１０１において核酸タンパク等の試料が検出部２１０に配置されたセンサチップ２００を生体情報検査システム１００のセンサ保持部１１０に配置する。そして、Ｓ１０２においてセンサチップ保持部１１０に配置されたセンサチップ２００がどの検査手段に対応するものかを、マーカー判別部１２０により判別する。ここで、検査手段としては、血糖値検査や、遺伝因子を検査するためのサザンハイブリダイゼーション法、ＳＮＰｓ法、ＲＦＬＰ法、ドットブロット法、ＰＣＲ（ポリメラーゼ連鎖反応）法等があり、センサチップ２００の検出部２１０には、これらいずれかの検査手段に対応する試料が、それぞれの検査方法に対応する形態で配置されている。
Ｓ１０２において、配置されたセンサチップ２００がどの検査手段に対応するものであるかが判別されると、対応する検査手段により検査が行われる。ここでは、複数の検査手段として、血糖値検査（Ａ検査）、遺伝因子チェック検査（Ｂ検査）、環境因子チェック検査（Ｃ検査）を実施する場合について説明する。Ｓ１０２の結果、配置されたセンサチップ２００がＡ検査に対応するものであると判別されると、Ｓ１０３においてＡ検査が実施される。Ａ検査は具体的には、血液を採取し、グルコース含有量を測定することで行われる。Ａ検査の結果は、その定量値や糖尿病の危険度等の情報として、試料番号（披検査者毎に付与される）や検査手段の情報とともに生体情報検査システム１００の記憶手段に記憶される（Ｓ１０４）。
一方、Ｓ１０２の結果、配置されたセンサチップ２００がＢ検査に対応するものであると判別されると、Ｓ１０５においてＢ検査が行われる。Ｂ検査は、具体的には生体情報検査システム１００に設けられている検査手段としての電気泳動装置により行われる。このＢ検査によって、糖尿病誘発遺伝子の有無を検出することができる。なお、その糖尿病誘発遺伝子の発現量を検出することも可能である。Ｂ検査の結果は、Ｓ１０４と同様に、試料番号や検査手段の情報とともに記憶手段に記憶される（Ｓ１０６）。
また、Ｓ１０２の結果、配置されたセンサチップ２００がＣ検査に対応するものであると判別されると、Ｓ１０７においてＣ検査が実施される。Ｃ検査は具体的には生体情報検査システム１００に設けられているＲＮＡ発現解析装置により行うことができる。このＣ検査により肥満遺伝子を検出することができ、その発現量や、一般的な値からのズレ等を測定することができる。Ｃ検査の結果は、Ｓ１０４、Ｓ１０６と同様に、試料番号や検査手段の情報とともに生体情報検査システム１００の記憶手段に記憶される（Ｓ１０８）。
このように、いずれかの検査が行われると、Ｓ１０９において、その他の検査手段による検査が行われているかどうかが判別される。このとき、複数の検査が行われていることが判別されると、Ｓ１１０において複数の検査結果に基づいた多要因解析が行われる。これにより、第１形態と同様の方法でそれぞれのケースにおいてより適した治療方法がわかるようになっている。
このように、一つの病気に対して原因を特定してその治療案を選定するという一連の治療基準を提供するためには、同一検出器での再現性が要求される。ここで、本実施形態の生体情報検査システム１００においては、異なる検査手段に対応する複数種類のセンサチップ２００であっても、一つのセンサチップ保持部１１０により保持することができ、更に、一つのデータ読取部１３０で、センサチップ２００の検出部２１０に配置されている試料の検査を行えることから、より安定した再現性を得ることができる。
また、生体情報検査システム１００の記憶手段に記憶された情報は、インターフェース部１５を介して、その他の記憶手段に記憶させることもできる。
【図１】
2005052597.tif 000002
【図２】
2005052597.tif 000003
【図３】
2005052597.tif 000004
【図４】
2005052597.tif 000005
【図５】
2005052597.tif 000006
【図６】
2005052597.tif 000007
【図７】
2005052597.tif 000008
【国際調査報告】
2005052597.tif 000009
2005052597.tif 000010
2005052597.tif 000011
2005052597.tif 000012